(57)【要約】【課題】省電力化を図る情報処理装置を提供する。【解決手段】第１無線通信方式により端末装置と第１無線通信を確立する第１無線通信部と、前記端末装置と第２無線通信方式により第２無線通信を確立する無線通信ネットワークのアクセスポイントと前記第２無線通信方式により第３無線通信を確立する第２無線通信部と、バッテリーから駆動電力が供給されているか否かを判定し、前記第２無線通信方式により前記アクセスポイントと前記第３無線通信を確立しているか否かを判定し、前記バッテリーから駆動電力が供給されておりかつ前記第２無線通信方式により前記アクセスポイントと前記第３無線通信を確立していないという条件が満たされると判定した場合に、前記第２無線通信方式における所定の無線接続処理を実行する実行モードから前記所定の無線接続処理を実行しない非実行モードへ移行する制御部と、を備える情報処理装置。【選択図】図１
2019216369.tif 000002
【特許請求の範囲】
【請求項１】
第１無線通信方式により端末装置と第１無線通信を確立する第１無線通信部と、
前記端末装置と第２無線通信方式により第２無線通信を確立する無線通信ネットワークのアクセスポイントと前記第２無線通信方式により第３無線通信を確立する第２無線通信部と、
バッテリーから駆動電力が供給されているか否かを判定し、前記第２無線通信方式により前記アクセスポイントと前記第３無線通信を確立しているか否かを判定し、前記バッテリーから駆動電力が供給されておりかつ前記第２無線通信方式により前記アクセスポイントと前記第３無線通信を確立していないという条件が満たされると判定した場合に、前記第２無線通信方式における所定の無線接続処理を実行する実行モードから前記所定の無線接続処理を実行しない非実行モードへ移行する制御部と、
を備える情報処理装置。
【請求項２】
第１無線通信方式により端末装置と第１無線通信を確立する第１無線通信部と、
第２無線通信方式により前記端末装置と第４無線通信を確立する第２無線通信部と、
バッテリーから駆動電力が供給されているか否かを判定し、前記端末装置から前記第４無線通信の接続要求を受けているか否かを判定し、前記バッテリーから駆動電力が供給されておりかつ前記端末装置から前記第４無線通信の接続要求を受けていないという条件が満たされると判定した場合に、前記第２無線通信方式における所定の無線接続処理を実行する実行モードから前記所定の無線接続処理を実行しない非実行モードへ移行する制御部と、
を備える情報処理装置。
【請求項３】
過去に前記第２無線通信方式により無線接続された前記端末装置の識別情報を記憶する記憶部を備え、
前記制御部は、前記記憶部が記憶する前記端末装置の前記識別情報に基づいて、過去に前記第２無線通信方式により無線接続された前記端末装置が前記情報処理装置の周辺に存在するか否かを判定し、前記条件が満たされるとともに過去に前記第２無線通信方式により無線接続された前記端末装置が前記情報処理装置の周辺に存在しないという条件が満たされたと判定した場合に、前記非実行モードへ移行する、
請求項１または請求項２に記載の情報処理装置。
【請求項４】
情報処理装置であって、
第１無線通信方式により端末装置と第１無線通信を確立する第１無線通信部と、
前記端末装置と第２無線通信方式により第２無線通信を確立する無線通信ネットワークのアクセスポイントと前記第２無線通信方式により第３無線通信を確立することと、前記第２無線通信方式により前記端末装置と第４無線通信を確立することとの少なくとも一方を行う第２無線通信部と、
過去に前記第２無線通信方式により無線接続された前記端末装置の識別情報を記憶する記憶部と、
バッテリーから駆動電力が供給されているか否かを判定し、前記記憶部が記憶する前記端末装置の前記識別情報に基づいて過去に前記第２無線通信方式により無線接続された前記端末装置が前記情報処理装置の周辺に存在するか否かを判定し、前記バッテリーから駆動電力が供給されておりかつ過去に前記第２無線通信方式により無線接続された前記端末装置が前記情報処理装置の周辺に存在しないという条件が満たされると判定した場合に、前記第２無線通信方式における所定の無線接続処理を実行する実行モードから前記所定の無線接続処理を実行しない非実行モードへ移行する制御部と、
を備える情報処理装置。
【請求項５】
前記制御部は、過去に前記第２無線通信方式により無線接続された前記端末装置が前記情報処理装置の周辺に存在するという条件が満たされると判定した場合に、前記端末装置が起動しているか否かを判定し、前記端末装置が起動していないという条件が満たされると判定した場合に、前記非実行モードへ移行する、
請求項３または請求項４に記載の情報処理装置。
【請求項６】
前記制御部は、前記端末装置が起動していないという条件が満たされると判定した場合に、前記端末装置における前記第２無線通信方式の所定の無線通信機能がオンであるオフであるか否かを判定し、前記端末装置における前記第２無線通信方式の前記所定の無線通信機能がオフであるという条件が満たされると判定した場合に、前記非実行モードへ移行する、
請求項５に記載の情報処理装置。
【発明の詳細な説明】
【技術分野】
【０００１】
本発明は、情報処理装置に関する。
【背景技術】
【０００２】
モバイル機器は、バッテリーで駆動するので、省電力化が厳しく求められる。そのため、種々の省電力化技術が提案されている。
【０００３】
下記特許文献１は、省電力化技術の一例を開示している。同文献に記載されたコードレス電話機の親機は、外部からの電力供給が停止したとき、コードレス子機に送信する無線信号の送信電力を、通信エラーが発生しないレベルまで低下させることにより、電力消費を抑える（例えば、特許文献１の段落００１２−００１３などを参照。）。
【先行技術文献】
【特許文献】
【０００４】
【特許文献１】特開２０１２−１９９５９９号公報
【発明の概要】
【発明が解決しようとする課題】
【０００５】
しかしながら、近年、モバイル機器は高機能化し、電力消費量が従来に比べて大きくなっているため、モバイル機器の更なる省電力化が求められている。
特にモバイル機器が他の電子機器と無線接続するために行う無線接続処理［例えば、モバイル機器が周辺（周囲と呼ばれてもよい。）のアクセスポイト（ＡＰ：Ａｃｃｅｓｓ  Ｐｏｉｎｔ）のＳＳＩＤ（Ｓｅｒｖｉｃｅ  Ｓｅｔ  Ｉｄｅｎｔｉｆｉｅｒ）をスキャンするスキャン処理］は連続的に実行されるので、電力消費量が大きい。そのため、モバイル機器では、無線接続処理に起因する電力消費量をいかに低減するかという課題があった。
【課題を解決するための手段】
【０００６】
上記課題を解決するために本発明の一態様は、第１無線通信方式により端末装置と第１無線通信を確立する第１無線通信部と、前記端末装置と第２無線通信方式により第２無線通信を確立する無線通信ネットワークのアクセスポイントと前記第２無線通信方式により第３無線通信を確立する第２無線通信部と、バッテリーから駆動電力が供給されているか否かを判定し、前記第２無線通信方式により前記アクセスポイントと前記第３無線通信を確立しているか否かを判定し、前記バッテリーから駆動電力が供給されておりかつ前記第２無線通信方式により前記アクセスポイントと前記第３無線通信を確立していないという条件が満たされると判定した場合に、前記第２無線通信方式における所定の無線接続処理を実行する実行モードから前記所定の無線接続処理を実行しない非実行モードへ移行する制御部と、を備える情報処理装置である。
【０００７】
上記課題を解決するために本発明の一態様は、第１無線通信方式により端末装置と第１無線通信を確立する第１無線通信部と、第２無線通信方式により前記端末装置と第４無線通信を確立する第２無線通信部と、バッテリーから駆動電力が供給されているか否かを判定し、前記端末装置から前記第４無線通信の接続要求を受けているか否かを判定し、前記バッテリーから駆動電力が供給されておりかつ前記端末装置から前記第４無線通信の接続要求を受けていないという条件が満たされると判定した場合に、前記第２無線通信方式における所定の無線接続処理を実行する実行モードから前記所定の無線接続処理を実行しない非実行モードへ移行する制御部と、を備える情報処理装置である。
【０００８】
本発明の一態様は、情報処理装置において、過去に前記第２無線通信方式により無線接続された前記端末装置の識別情報を記憶する記憶部を備え、前記制御部は、前記記憶部が記憶する前記端末装置の前記識別情報に基づいて、過去に前記第２無線通信方式により無線接続された前記端末装置が前記情報処理装置の周辺に存在するか否かを判定し、前記条件が満たされるとともに過去に前記第２無線通信方式により無線接続された前記端末装置が前記情報処理装置の周辺に存在しないという条件が満たされたと判定した場合に、前記非実行モードへ移行する。
【０００９】
上記課題を解決するために本発明の一態様は、情報処理装置であって、第１無線通信方式により端末装置と第１無線通信を確立する第１無線通信部と、前記端末装置と第２無線通信方式により第２無線通信を確立する無線通信ネットワークのアクセスポイントと前記第２無線通信方式により第３無線通信を確立することと、前記第２無線通信方式により前記端末装置と第４無線通信を確立することとの少なくとも一方を行う第２無線通信部と、過去に前記第２無線通信方式により無線接続された前記端末装置の識別情報を記憶する記憶部と、バッテリーから駆動電力が供給されているか否かを判定し、前記記憶部が記憶する前記端末装置の前記識別情報に基づいて過去に前記第２無線通信方式により無線接続された前記端末装置が前記情報処理装置の周辺に存在するか否かを判定し、前記バッテリーから駆動電力が供給されておりかつ過去に前記第２無線通信方式により無線接続された前記端末装置が前記情報処理装置の周辺に存在しないという条件が満たされると判定した場合に、前記第２無線通信方式における所定の無線接続処理を実行する実行モードから前記所定の無線接続処理を実行しない非実行モードへ移行する制御部と、を備える情報処理装置である。
【００１０】
本発明の一態様は、情報処理装置において、前記制御部は、過去に前記第２無線通信方式により無線接続された前記端末装置が前記情報処理装置の周辺に存在するという条件が満たされると判定した場合に、前記端末装置が起動しているか否かを判定し、前記端末装置が起動していないという条件が満たされると判定した場合に、前記非実行モードへ移行する。
【００１１】
本発明の一態様は、情報処理装置において、前記制御部は、前記端末装置が起動していないという条件が満たされると判定した場合に、前記端末装置における前記第２無線通信方式の所定の無線通信機能がオンであるオフであるか否かを判定し、前記端末装置における前記第２無線通信方式の前記所定の無線通信機能がオフであるという条件が満たされると判定した場合に、前記非実行モードへ移行する。
【図面の簡単な説明】
【００１２】
【図１】本発明の実施形態に係る印刷システムの概略的な構成を示す図である。
【図２】本発明の実施形態に係るビーコンを模式的に示す図である。
【図３】本発明の実施形態に係るＳＳＩＤリストの構成を示す図である。
【図４】本発明の実施形態に係る印刷システムにおいて行われるインフラ接続に関する処理の手順の一例を示す図である。
【図５】本発明の実施形態に係る印刷システムにおいて行われる直接通信接続に関する処理の手順の一例を示す図である。
【発明を実施するための形態】
【００１３】
以下、本発明の実施形態について、図面を参照して説明する。
【００１４】
［印刷システム］
図１は、本発明の実施形態に係る印刷システム１の概略的な構成を示す図である。
印刷システム１は、プリンター１０と、端末装置２０を備える。
また、図１には、無線通信ネットワークのアクセスポイント３０を示してある。本実施形態では、当該無線通信ネットワークは、Ｗｉ−Ｆｉ（登録商標）の規格に準拠した無線通信方式により無線通信が行われる無線ＬＡＮ（Ｌｏｃａｌ  Ａｒｅａ  Ｎｅｔｗｏｒｋ）である。
【００１５】
プリンター１０と端末装置２０とは、ＢＬＥ（Ｂｌｕｅｔｏｏｔｈ（登録商標）  Ｌｏｗ  Ｅｎｅｒｇｙ）の規格に準拠した無線通信方式により第１無線通信１１０を確立する。
端末装置２０は、Ｗｉ−Ｆｉ（登録商標）の規格に準拠した無線通信方式により無線ＬＡＮのアクセスポイント３０と第２無線通信１２０を確立する。
プリンター１０は、Ｗｉ−Ｆｉ（登録商標）の規格に準拠した無線通信方式により無線ＬＡＮのアクセスポイント３０と第３無線通信１３０を確立する。
また、プリンター１０と端末装置２０とは、Ｗｉ−Ｆｉ（登録商標）の規格に準拠した無線通信方式により第４無線通信１４０を確立する。本実施形態では、第４無線通信１４０は、プリンター１０と端末装置２０との直接通信接続による直接通信であり、プリンター１０が疑似的にアクセスポイント３０と同様な動作を行うことで、実現される。
【００１６】
アクセスポイント３０は、無線ＬＡＮルーターとして機能する。図１には、１台のアクセスポイント３０が示されているが、複数台のアクセスポイント３０がプリンター１０および端末装置２０の周辺に存在してもよい。
なお、アクセスポイント３０は、例えば、印刷システム１に備えられると捉えられてもよく、あるいは、印刷システム１に備えられないと捉えられてもよい。
【００１７】
ここで、本実施形態では、プリンター１０がモバイル機器である場合を示すが、これに限られない。
また、本実施形態では、アクセスポイント３０がモバイル機器である場合を示すが、これに限られない。
本実施形態では、プリンター１０およびアクセスポイント３０は、それぞれ、ユーザーにより持ち運ぶことが可能である。一例として、同一のユーザーが、プリンター１０およびアクセスポイント３０の両方を同時に持ち運んで、任意の場所で、これら両方の電源をオンの状態にして使用することが可能である。
なお、本実施形態では、端末装置２０は、ユーザーにより持ち運ぶことが可能なモバイル機器である。
【００１８】
本実施形態において、無線機能を有するプリンター１０では、例えば、外部のアクセスポイント３０と無線により接続することで、当該アクセスポイント３０を介して端末装置２０と通信することが行われる。この場合、端末装置２０は、アクセスポイント３０と無線により接続する。以下では、説明の便宜上、このような無線接続をインフラ接続（Ｉｎｆｒａ接続）という。
また、本実施形態において、無線機能を有するプリンター１０では、例えば、当該プリンター１０が疑似的にアクセスポイント３０と同様な動作を行うことで、端末装置２０と直接的に通信することが行われる。この場合、端末装置２０はプリンター１０と無線により接続する。以下では、説明の便宜上、このような無線接続を直接通信接続という。
【００１９】
［プリンター］
図１を参照して、プリンター１０の構成を説明する。
プリンター１０は、処理部１１と、ＢＬＥ通信部１２と、Ｗｉ−Ｆｉ（登録商標）の規格により無線通信を行う無線通信部１３と、タッチパネルディスプレイ１４と、印刷部１５を備える。
【００２０】
ＢＬＥ通信部１２は、通信インターフェイス（通信Ｉ／Ｆ）である。
ＢＬＥ通信部１２は、ＢＬＥ規格により、通信相手と無線通信を行うことで、当該通信相手との間で信号の送信あるいは信号の受信を行う。
ＢＬＥ通信部１２は、ＢＬＥ規格により、Ｗｉ−Ｆｉ（登録商標）の規格による無線通信部１３よりも低電力でより近距離の通信相手と無線通信を行うことができる。
ＢＬＥ通信部１２は、例えば、ＢＬＥ規格での無線通信を行うチップあるいはモジュールとして構成されてもよい。
【００２１】
無線通信部１３は、通信インターフェイス（通信Ｉ／Ｆ）である。
無線通信部１３は、Ｗｉ−Ｆｉ（登録商標）の規格により、通信相手と無線通信を行うことで、当該通信相手との間で信号の送信あるいは信号の受信を行う。
無線通信部１３は、例えば、Ｗｉ−Ｆｉ（登録商標）の規格での無線通信を行うチップあるいはモジュールとして構成されてもよい。
【００２２】
タッチパネルディスプレイ１４は、各種の情報を表示することが可能なディスプレイと、当該ディスプレイに対するタッチなどの操作を検出するタッチパネルとを兼ねたユーザーインターフェイスである。
ここで、本実施形態では、ユーザー（人）に情報を出力するユーザーインターフェイスと、ユーザーから情報を入力するユーザーインターフェイスとが一体化されているが、他の例として、これらのユーザーインターフェイスが別々に備えられてもよい。
また、情報を出力する形態としては、例えば、表示による出力以外に、音による出力などが用いられてもよい。
【００２３】
印刷部１５は、画像を印刷する。印刷部１５は、例えば、印刷媒体を搬送する搬送機構（図示せず）、および、当該印刷媒体に画像を印刷する印刷機構（図示せず）などを備えている。印刷媒体としては、例えば、紙などが用いられる。
【００２４】
処理部１１は、各種の処理を実行する。
処理部１１は、例えば、ＣＰＵ（Ｃｅｎｔｒａｌ  Ｐｒｏｃｅｓｓｉｎｇ  Ｕｎｉｔ）などのプロセッサー、および、メモリーを備え、当該メモリーに記録（記憶と呼ばれてもよい）されたプログラムを実行することが可能である。メモリーとしては、例えば、ＲＯＭ（Ｒｅａｄ  Ｏｎｌｙ  Ｍｅｍｏｒｙ）、および、ＲＡＭ（Ｒａｎｄｏｍ  Ａｃｃｅｓｓ  Ｍｅｍｏｒｙ）などが用いられ、また、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）が用いられてもよい。
【００２５】
処理部１１は、デバイス制御部１１ａを備える。
ここで、処理部１１は、メモリーに記録されたファームウェアを実行することにより、デバイス制御部１１ａの機能を実現する。ファームウェアは、プログラムの一種である。
デバイス制御部１１ａは、ＢＬＥ通信部１２、無線通信部１３、タッチパネルディスプレイ１４、印刷部１５の動作を制御する。例えば、デバイス制御部１１ａは、タッチパネルディスプレイ１４に画像を表示し、また、タッチパネルディスプレイ１４に対するユーザーからの入力を受け付ける。また、デバイス制御部１１ａは、印刷データに基づいて印刷データが示す画像に対する画像処理を実行し、印刷部１５を制御して当該画像を印刷媒体に印刷させる。また、デバイス制御部１１ａは、ＢＬＥ通信部１２を制御し、端末装置２０と第１無線通信１１０を確立する。また、デバイス制御部１１ａは、無線通信部１３を制御し、アクセスポイント３０と第３無線通信１３０を確立する。
【００２６】
また、デバイス制御部１１ａは、無線通信部１３を制御し、疑似的にアクセスポイント３０と同様な動作を行う。これにより、デバイス制御部１１ａは、端末装置２０と第４無線通信１４０を確立する。
【００２７】
処理部１１は、ＳＳＩＤリスト１１ｂをメモリーに格納する。ＳＳＩＤリスト１１ｂは、無線通信部１３がＷｉ−Ｆｉ（登録商標）の規格に準拠した無線通信方式の無線ＬＡＮの探索により取得したＳＳＩＤのリストである。
【００２８】
［端末装置］
図１を参照して、端末装置２０の構成を説明する。
端末装置２０は、処理部２１と、ＢＬＥ通信部２２と、Ｗｉ−Ｆｉ（登録商標）の規格により無線通信を行う無線通信部２３と、タッチパネルディスプレイ２４を備える。
【００２９】
ＢＬＥ通信部２２は、通信インターフェイス（通信Ｉ／Ｆ）である。
ＢＬＥ通信部２２は、ＢＬＥ規格により、通信相手と無線通信を行うことで、当該通信相手との間で信号の送信あるいは信号の受信を行う。
ＢＬＥ通信部２２は、ＢＬＥ規格により、Ｗｉ−Ｆｉ（登録商標）の規格による無線通信部２３よりも低電力でより近距離の通信相手と無線通信を行うことができる。
ＢＬＥ通信部２２は、例えば、ＢＬＥ規格での無線通信を行うチップあるいはモジュールとして構成されてもよい。
【００３０】
無線通信部２３は、通信インターフェイス（通信Ｉ／Ｆ）である。
無線通信部２３は、Ｗｉ−Ｆｉ（登録商標）の規格により、通信相手と無線通信を行うことで、当該通信相手との間で信号の送信あるいは信号の受信を行う。
無線通信部２３は、例えば、Ｗｉ−Ｆｉ（登録商標）の規格での無線通信を行うチップあるいはモジュールとして構成されてもよい。
【００３１】
タッチパネルディスプレイ２４は、各種の情報を表示することが可能なディスプレイと、当該ディスプレイに対するタッチなどの操作を検出するタッチパネルとを兼ねたユーザーインターフェイスである。
ここで、本実施形態では、ユーザーに情報を出力するユーザーインターフェイスと、ユーザーから情報を入力するユーザーインターフェイスとが一体化されているが、他の例として、これらのユーザーインターフェイスが別々に備えられてもよい。
また、情報を出力する形態としては、例えば、表示による出力以外に、音による出力などが用いられてもよい。
【００３２】
処理部２１は、各種の処理を実行する。
処理部２１は、例えば、ＣＰＵなどのプロセッサー、および、メモリーを備え、当該メモリーに記録されたプログラムを実行することが可能である。メモリーとしては、例えば、ＲＯＭ、および、ＲＡＭなどが用いられ、また、ＥＥＰＲＯＭが用いられてもよい。
【００３３】
処理部２１は、端末制御部２１ａを備える。
ここで、処理部２１は、メモリーに記録されたアプリケーションを実行することにより、端末制御部２１ａの機能を実現する。アプリケーションは、プログラムの一種であり、アプリと呼ばれることもある。
端末制御部２１ａは、ＢＬＥ通信部２２、無線通信部２３、タッチパネルディスプレイ２４の動作を制御する。例えば、端末制御部２１ａは、タッチパネルディスプレイ２４に画像を表示し、また、タッチパネルディスプレイ２４に対するユーザーからの入力を受け付ける。また、端末制御部２１ａは、ＢＬＥ通信部２２を制御し、プリンター１０と第１無線通信１１０を確立する。また、端末制御部２１ａは、無線通信部２３を制御し、アクセスポイント３０と第２無線通信１２０を確立する。
【００３４】
また、端末制御部２１ａは、無線通信部２３を制御し、プリンター１０と第４無線通信１４０を確立する。この場合、端末制御部２１ａは、例えば、アクセスポイント３０と無線通信を行う動作と同様な動作により、プリンター１０の疑似的なアクセスポイントの機能と無線通信を行う。
【００３５】
端末装置２０は、例えば、スマートフォンまたはタブレット型のコンピューター（タブレットＰＣ）などの携帯通信端末装置であってもよく、あるいは、据置き型のパーソナルコンピューターなどであってもよい。
【００３６】
［アクセスポイント］
アクセスポイント３０は、Ｗｉ−Ｆｉ（登録商標）の規格により、所定のビーコンを無線送信する。ビーコンを無線送信するタイミングとしては、例えば、定期的なタイミングが用いられる。また、ビーコンは、例えば、ブロードキャストにより、無線送信される。アクセスポイント３０は、当該アクセスポイント３０のＳＳＩＤが含まれるビーコンを無線送信する。なお、ビーコンは、例えば、パケットを用いて無線送信されてもよい。
プリンター１０は、アクセスポイント３０から無線送信されたビーコンを受信し、当該ビーコンに含まれるＳＳＩＤを用いて、当該アクセスポイント３０と無線通信を行う。
端末装置２０は、アクセスポイント３０から無線送信されたビーコンを受信し、当該ビーコンに含まれるＳＳＩＤを用いて、当該アクセスポイント３０と無線通信を行う。
【００３７】
［プリンターにおける疑似的なアクセスポイント］
プリンター１０は、疑似的なアクセスポイントの機能として、Ｗｉ−Ｆｉ（登録商標）の規格により、所定のビーコンを無線送信する。ビーコンを無線送信するタイミングとしては、例えば、定期的なタイミングが用いられる。また、ビーコンは、例えば、ブロードキャストにより、無線送信される。プリンター１０は、当該プリンター１０のＳＳＩＤが含まれるビーコンを無線送信する。
端末装置２０は、プリンター１０から無線送信されたビーコンを受信し、当該ビーコンに含まれるＳＳＩＤを用いて、当該プリンター１０と無線通信を行う。
【００３８】
［ＳＳＩＤリストの作成］
図２は、本発明の実施形態に係るビーコン２００を模式的に示す図である。
ビーコン２００は、Ｗｉ−Ｆｉ（登録商標）の規格に基づいたビーコンである。
ビーコン２００は、Ｗｉ−Ｆｉ（登録商標）の規格で定義されており、決められたフォーマット通りの情報が記述される部分にネットワーク情報の一項目としてＳＳＩＤが記述される。アクセスポイント３０は、定期的にＷｉ−Ｆｉ（登録商標）のビーコン２００をブロードキャストで無線送信する。
また、本実施形態では、プリンター１０は、疑似的なアクセスポイントとして動作する場合に、定期的にＷｉ−Ｆｉ（登録商標）のビーコン２００をブロードキャストで無線送信する。
【００３９】
プリンター１０において、無線通信部１３は、アクセスポイント３０からブロードキャストで無線送信されたビーコン２００を受信する。そして、デバイス制御部１１ａは、無線通信部１３が受信したビーコン２００に含まれるＳＳＩＤを無線通信部１３から取得する。デバイス制御部１１ａは、無線通信部１３から取得したＳＳＩＤをＳＳＩＤリスト１１ｂに記載して保存する。このとき、デバイス制御部１１ａは、無線通信部１３から取得したＳＳＩＤが既にＳＳＩＤリスト１１ｂに含まれている場合には、ＳＳＩＤリスト１１ｂに同じＳＳＩＤを重複して記載しない。
【００４０】
図３は、本発明の実施形態に係るＳＳＩＤリスト１１ｂの構成を示す図である。
デバイス制御部１１ａは、無線通信部１３を制御し、例えば、一定の周期でビーコン２００の受信を行い、ビーコン２００の受信結果に基づいてＳＳＩＤリスト１１ｂを更新する。これにより、一定の周期で、ＳＳＩＤリスト１１ｂが最新化される。
【００４１】
ここで、アクセスポイント３０の中には、ＳＳＩＤの値がＮＵＬＬまたはＳＳＩＤの長さが０である通称として「ステルスＡＰ（ステルスアクセスポイント）」と呼ばれるものが存在し得る。ステルスＡＰからブロードキャストされたビーコン２００に含まれるＳＳＩＤとして、以下の２つの例が挙げられる。
【００４２】
＜ステルスＡＰのＳＳＩＤの例１＞
ＳＳＩＤの値がＮＵＬＬである場合、例えばＳＳＩＤの長さが４（ＳＳＩＤ  Ｌｅｎｇｔｈ＝４）である場合において、ＳＳＩＤの値としてＳＳＩＤの長さ分だけＮＵＬＬ（￥０）となる（ＳＳＩＤ＝‘￥０￥０￥０￥０’）。
＜ステルスＡＰのＳＳＩＤの例２＞
ＳＳＩＤの長さが０（ＳＳＩＤ  Ｌｅｎｇｔｈ＝０）である場合において、ＳＳＩＤの値として「ＳＳＩＤ＝‘’」
【００４３】
デバイス制御部１１ａは、無線通信部１３から取得したＳＳＩＤがステルスＡＰのＳＳＩＤの例１（ＳＳＩＤの値がＮＵＬＬ）またはステルスＡＰのＳＳＩＤの例２（ＳＳＩＤの長さが０）に該当するかを判断し、該当すると判定した場合にはＳＳＩＤとして「ＳＳＩＤの値がＮＵＬＬである」または「ＳＳＩＤの長さが０である」という情報をＳＳＩＤリスト１１ｂに記載する。
【００４４】
図３の例では、ＳＳＩＤリスト１１ｂは、項番とＳＳＩＤとを対応付けて格納している。
具体例として、項番が１である欄には、「ａｂｃ３」というＳＳＩＤが格納されている。また、項番が２である欄には、「ｘｙｚ４」というＳＳＩＤが格納されている。
【００４５】
［ＢＬＥによる無線通信］
プリンター１０と端末装置２０とは、ＢＬＥの機能により、直接通信を行う。
プリンター１０では、デバイス制御部１１ａは、ＢＬＥ通信部１２により、定期的なタイミングで、ＢＬＥのビーコンを無線送信する。当該定期的なタイミングとしては、任意のタイミングであってもよい。なお、ビーコンは、例えば、パケットを用いて無線送信されてもよい。
端末装置２０では、端末制御部２１ａは、ＢＬＥ通信部２２により、プリンター１０から無線送信されたＢＬＥのビーコンを受信した場合、自装置（当該端末装置２０）の識別情報が含まれるＢＬＥの応答信号を無線送信する。当該識別情報としては、任意の情報が用いられてもよく、例えば、ＭＡＣ（Ｍｅｄｉａ  Ａｃｃｅｓｓ  Ｃｏｎｔｒｏｌ）アドレスの情報が用いられてもよい。
【００４６】
プリンター１０では、デバイス制御部１１ａは、ＢＬＥ通信部１２により、端末装置２０から無線送信されたＢＬＥの応答信号を受信し、受信されたＢＬＥの応答信号に含まれる識別情報を取得する。プリンター１０では、デバイス制御部１１ａは、取得された端末装置２０の識別情報に基づいて、当該端末装置２０を識別することができ、当該端末装置２０に関する情報を特定することが可能となる。
【００４７】
ここで、端末装置２０に関する情報としては、様々な情報が用いられてもよく、例えば、当該端末装置２０が過去にプリンター１０により印刷を行ったか否かを特定する情報が用いられる。プリンター１０では、デバイス制御部１１ａは、例えば、過去にプリンター１０により印刷を行った端末装置２０の識別情報を記録しており、この記録情報に基づいて、過去にプリンター１０により印刷を行った端末装置２０を特定することが可能である。具体的には、プリンター１０では、デバイス制御部１１ａは、端末装置２０から受信された応答信号に含まれる当該端末装置２０の識別情報と当該記録情報とを照合して、当該識別情報が当該記録情報に含まれていると判定した場合には当該端末装置２０は過去にプリンター１０により印刷を行ったことがあると判定し、一方、当該識別情報が当該記録情報に含まれていないと判定した場合には当該端末装置２０は過去にプリンター１０により印刷を行ったことがないと判定する。当該記録情報は、例えば、処理部１１のメモリーに記録される。
本実施形態では、過去にプリンター１０により印刷を行った端末装置２０は、再び当該プリンター１０により印刷を行うために印刷対象のデータを当該プリンター１０へ無線送信する可能性が高いと予想し、一方、過去にプリンター１０により印刷を行っていない端末装置２０は、当該プリンター１０により印刷を行うために印刷対象のデータを当該プリンター１０へ無線送信する可能性が低いと予想する。
【００４８】
また、本実施形態では、端末装置２０から無線送信されるＢＬＥの応答信号には、当該端末装置２０が起動しているか否かを示す情報が、端末制御部２１ａにより含められる。プリンター１０では、デバイス制御部１１ａは、当該情報に基づいて、端末装置２０が起動しているか否かを判定することが可能である。
また、本実施形態では、端末装置２０から無線送信されるＢＬＥの応答信号には、当該端末装置２０の無線通信部２３の機能がオンの状態であるか否かを示す情報が、端末制御部２１ａにより含められる。プリンター１０では、デバイス制御部１１ａは、当該情報に基づいて、端末装置２０の無線通信部２３の機能がオンの状態であるか否かを判定することが可能である。
【００４９】
［Ｗｉ−Ｆｉ（登録商標）による無線通信］
本実施形態では、プリンター１０の無線通信部１３と端末装置２０の無線通信部２３とは、直接または間接に、無線接続する。
プリンター１０では、デバイス制御部１１ａは、無線通信部１３により、アクセスポイント３０と、１対１で、無線接続する。この場合、プリンター１０は、１個のアクセスポイント３０を介して、１個または２個以上の端末装置２０と無線接続する。
また、プリンター１０では、デバイス制御部１１ａは、無線通信部１３により、疑似的なアクセスポイントとなった場合、直接、１個または２個以上の端末装置２０と無線接続する。
【００５０】
プリンター１０では、デバイス制御部１１ａは、アクセスポイント３０から無線送信されるビーコン２００を無線通信部１３により受信する。そして、プリンター１０では、デバイス制御部１１ａは、受信されたビーコン２００に含まれるＳＳＩＤの情報を用いて、当該アクセスポイント３０に対してインフラ接続の要求信号を無線送信する。これにより、プリンター１０と当該アクセスポイント３０とが無線接続される。
また、端末装置２０では、端末制御部２１ａは、アクセスポイント３０から無線送信されるビーコン２００を無線通信部２３により受信する。そして、端末装置２０では、端末制御部２１ａは、受信されたビーコン２００に含まれるＳＳＩＤの情報を用いて、当該アクセスポイント３０に対して無線接続の要求信号を無線送信する。これにより、端末装置２０と当該アクセスポイント３０とが無線接続される。
【００５１】
また、プリンター１０が疑似的なアクセスポイントとして動作する場合、端末装置２０では、端末制御部２１ａは、当該アクセスポイントから無線送信されるビーコンを無線通信部２３により受信する。そして、端末装置２０では、端末制御部２１ａは、受信されたビーコンに含まれるＳＳＩＤの情報を用いて、当該アクセスポイントに対して無線接続の要求信号を無線送信する。これにより、端末装置２０と当該アクセスポイント（ここでは、プリンター１０）とが無線接続される。この場合、当該ＳＳＩＤは、プリンター１０を識別する。
【００５２】
本実施形態では、端末装置２０では、無線通信部２３により、印刷対象のデータを無線送信する。
また、本実施形態では、プリンター１０では、無線通信部１３により、印刷対象のデータを受信して、受信された印刷対象のデータに応じた画像を印刷部１５により印刷する。
この場合に、インフラ接続により、プリンター１０とアクセスポイント３０とが無線接続され、端末装置２０とアクセスポイント３０とが無線接続されるときには、端末装置２０から無線送信された印刷対象のデータが、アクセスポイント３０を介して、プリンター１０により受信される。
また、この場合に、直接通信接続により、疑似的なアクセスポイントとなったプリンター１０と端末装置２０とが無線接続されるときには、端末装置２０から無線送信された印刷対象のデータが、直接、プリンター１０により受信される。
なお、一般に、ＢＬＥによる無線通信よりも、Ｗｉ−Ｆｉによる無線通信の方が、印刷対象のデータのように大容量のデータの通信に適している。
【００５３】
ここで、プリンター１０と端末装置２０とがインフラ接続により間接的にまたは直接通信接続により直接的に無線接続して、端末装置２０からプリンター１０に印刷対象のデータを無線送信する場合、端末装置２０では、端末制御部２１ａは、無線通信部２３により、自装置（当該端末装置２０）の識別情報をプリンター１０に送信する。そして、プリンター１０では、デバイス制御部１１ａは、無線通信部１３により受信された端末装置２０の識別情報を所定のメモリーに記録する。これにより、プリンター１０では、デバイス制御部１１ａは、過去にプリンター１０により印刷を行った端末装置２０の識別情報を管理することができる。
なお、識別情報を記録するメモリーとしては、例えば、プリンター１０の内部のメモリーが用いられてもよく、あるいは、外部のメモリーが用いられてもよい。プリンター１０の内部のメモリーとしては、例えば、処理部１１のメモリーが用いられてもよい。
【００５４】
［印刷システムにおいて行われる動作］
本実施形態では、インフラ接続に関する動作と、Ｗｉ−Ｆｉ（登録商標）による直接通信接続に関する動作を説明する。
本実施形態では、インフラ接続に関する動作と、直接通信接続に関する動作について説明する。
本実施形態では、プリンター１０は、インフラ接続に関する動作がオンの状態である場合、無線接続するアクセスポイント３０を探索する処理を行う。
また、本実施形態では、プリンター１０は、直接通信接続に関する動作がオンの状態である場合、無線接続する端末装置２０を探索する処理を行う。
【００５５】
なお、例えば、インフラ接続に関する動作と直接通信接続に関する動作との両方がオンの状態であるときもあり得る。
また、例えば、インフラ接続に関する動作と直接通信接続に関する動作との両方で、同時に、同一の端末装置２０を管理する場合もあり得る。
【００５６】
＜インフラ接続に関する動作＞
図４は、本発明の実施形態に係る印刷システム１において行われるインフラ接続に関する処理の手順の一例を示す図である。
本例では、プリンター１０では、通常の動作を行うモード（説明の便宜上、「通常動作モード」ともいう。）と、無線通信に関する所定の機能が停止させられるモード（説明の便宜上、「無線通信停止モード」ともいう。）とが切り替え可能に設定される場合を示す。
【００５７】
（ステップＳ１）
ユーザーは、端末装置２０に所定のアプリケーションをインストールする。当該アプリケーションは、端末制御部２１aの機能を実現するアプリケーションであり、例えば、専用のアプリケーションであってもよい。
また、ユーザーは、端末装置２０のタッチパネルディスプレイ２４を操作して、端末装置２０におけるＢＬＥの機能をオンの状態にする。なお、端末装置２０の初期状態において、端末装置２０におけるＢＬＥの機能がオンの状態である場合には、そのままの状態とする。
そして、ステップＳ２の処理へ移行する。
【００５８】
ここで、アプリケーションのインストールは、例えば、あらかじめ行われる。
また、アプリケーションのインストールは、例えば、初期に１回行われればよく、その後は、更新されてもよい。
また、アプリケーションのインストールは、例えば、所定の装置により自動的に行われてもよい。
また、端末装置２０が初期的に所定のアプリケーションの機能を有する場合には、その後は、当該アプリケーションのインストールは行われなくてもよい。
また、所定のアプリケーションの機能は、端末装置２０において、Ｗｉ−Ｆｉ（登録商標）による無線通信を行う無線通信部２３の機能がオンの状態であるかオフの状態であるかを、端末制御部２１ａによりプリンター１０に無線送信する機能を含む。
また、端末装置２０におけるＢＬＥの機能をオンの状態にする処理は、例えば、端末装置２０により自動的に行われてもよい。
【００５９】
（ステップＳ２）
プリンター１０では、電源がオンの状態で、デバイス制御部１１ａが、各種の制御を行うことで、通常の動作を行う。プリンター１０では、通常の動作において、デバイス制御部１１ａは、プリンター１０のＳＳＩＤリスト１１ｂにＳＳＩＤが保存されている接続先ＡＰを探索し、接続先ＡＰとインフラ接続を行う。そして、ステップＳ３の処理へ移行する。
このようなインフラ接続の処理は、例えば、スキャンの処理により、プリンター１０の周辺に接続先ＡＰに該当するアクセスポイント３０が存在するか否かを判定して、当該アクセスポイント３０を検出する処理であり、プリンター１０により自動的に行われる。なお、このようなスキャンの処理は、例えば、所定の時間だけ行われてもよく、当該所定の時間において接続先ＡＰが見つからなかった場合には、当該スキャンの処理が終了させられてもよい。当該所定の時間としては、任意の時間が用いられてもよく、例えば、１分〜３分程度が用いられてもよい。
また、本例では、プリンター１０では、ＢＬＥの機能はオンの状態に保持され、また、Ｗｉ−Ｆｉ（登録商標）の機能はオンの状態に保持される。
【００６０】
ここで、接続先ＡＰは、プリンター１０が接続する先となるアクセスポイント３０を示す。プリンター１０では、例えば、処理部１１は、接続先ＡＰを特定する情報を記録する。
また、例えば、プリンター１０が既に接続先ＡＰと接続されている場合には、新たに接続先ＡＰを探索する処理が行われなくてもよい。例えば、プリンター１０では、電源がオフの状態からオンの状態へ切り替えられたときに接続先ＡＰを探索して接続し、その後、接続先ＡＰとの接続が切断された場合、あるいは、他の接続先ＡＰへ移行する場合などに、新たに接続先ＡＰを探索する。
なお、本例では、プリンター１０の電源がオンの状態である場合の例を示したが、他の例として、プリンター１０の電源がオフの状態である場合には、例えばプリンター１０が使用されるときに、ユーザーがタッチパネルディスプレイ１４を操作することによりプリンター１０の電源がオフの状態からオンの状態へ切り替えられる。
【００６１】
（ステップＳ３）
プリンター１０では、デバイス制御部１１aは、当該プリンター１０が電源駆動であるか否かを判定する。
この判定の結果、プリンター１０では、デバイス制御部１１aは、当該プリンター１０が電源駆動であると判定した場合（ステップＳ３：ＹＥＳ）、ステップＳ１０の処理へ移行する。
一方、この判定の結果、プリンター１０では、デバイス制御部１１aは、当該プリンター１０が電源駆動ではないと判定した場合（ステップＳ３：ＮＯ）、ステップＳ４の処理へ移行する。
【００６２】
ここで、本実施形態では、電源駆動であることは、いわゆる電源コンセントから供給される電源により装置（例えば、プリンター１０）が駆動することを示す。この場合、停電等を除けば、電源コンセントから継続的に電源が供給され続ける。
一方、本実施形態では、電源駆動ではないことは、バッテリー（電池）から供給される電源により装置（例えば、プリンター１０）が駆動することを示す。この場合、バッテリーからは、当該バッテリーに蓄積された電力が供給不能な程度に低くなるまでの間、電源が供給される。
このように、本実施形態に係るプリンター１０では、電源駆動の状態と、電源駆動ではない状態（本実施形態では、バッテリー駆動の状態）とのいずれか一方の状態となる。
【００６３】
本実施形態では、プリンター１０では、デバイス制御部１１aは、電源駆動であるか否か、つまり、電源コンセントから電源が供給されている状態であるか、あるいは、バッテリーから電源が供給されている状態であるかを判定することが可能な構成となっている。
なお、例えば、プリンター１０では、デバイス制御部１１aは、電源駆動ではないこと（本例では、バッテリー駆動であること）が判定された場合に、省電力化のための所定の処理を行ってもよい。
【００６４】
（ステップＳ４）
プリンター１０では、デバイス制御部１１aは、インフラ接続を行うことができたか否かを判定する。
この判定の結果、プリンター１０では、デバイス制御部１１aは、インフラ接続を行うことができたと判定した場合（ステップＳ４：ＹＥＳ）、ステップＳ１０の処理へ移行する。
一方、この判定の結果、プリンター１０では、デバイス制御部１１aは、インフラ接続を行うことができなかったと判定した場合（ステップＳ４：ＮＯ）、ステップＳ５の処理へ移行する。
【００６５】
ここで、プリンター１０では、例えば、インフラ接続の対象となるアクセスポイント３０（つまり、接続先ＡＰ）の電源がオンの状態である場合には、当該アクセスポイント３０とインフラ接続を行うことができ、一方、インフラ接続の対象となるアクセスポイント３０の電源がオフの状態である場合には、当該アクセスポイント３０とインフラ接続を行うことができない。
【００６６】
（ステップＳ５）
プリンター１０では、デバイス制御部１１aは、プリンター１０の周辺に印刷したことがある端末装置２０が存在するか否かをＢＬＥによる無線通信で確認する。具体的には、プリンター１０では、デバイス制御部１１aは、ＢＬＥ通信部１２によりプリンター１０の周辺に存在する端末装置２０と無線通信を行い、当該端末装置２０がプリンター１０により印刷したことがあるか否かを確認する。そして、ステップＳ６の処理へ移行する。
【００６７】
ここで、プリンター１０の周辺とは、例えば、プリンター１０により無線通信を行うことが可能な範囲を示す。また、ここでは、当該無線通信は、ＢＬＥによる無線通信である。
また、印刷したことがある端末装置２０としては、例えば、過去に一度でもプリンター１０により印刷したことがある端末装置２０が用いられてもよく、あるいは、現在から所定の期間だけ過去までの間にプリンター１０により印刷したことがある端末装置２０が用いられてもよい。当該所定の期間は、任意の期間であってもよく、例えば、所定の数値で設定されてもよく、あるいは、プリンター１０が前回にオフの状態からオンの状態になった後の期間が用いられてもよい。
【００６８】
（ステップＳ６）
プリンター１０では、デバイス制御部１１aは、プリンター１０の周辺に印刷したことがある端末装置２０が存在するか否かを判定する。
この判定の結果、プリンター１０では、デバイス制御部１１aは、プリンター１０の周辺に印刷したことがある端末装置２０が存在すると判定した場合（ステップＳ６：ＹＥＳ）、ステップＳ７の処理へ移行する。
一方、この判定の結果、プリンター１０では、デバイス制御部１１aは、プリンター１０の周辺に印刷したことがある端末装置２０が存在しないと判定した場合（ステップＳ６：ＮＯ）、ステップＳ９の処理へ移行する。
【００６９】
（ステップＳ７）
プリンター１０では、デバイス制御部１１aは、印刷したことがあると判定された端末装置２０が起動しているか否かをＢＬＥによる無線通信で判定する。
この判定の結果、プリンター１０では、デバイス制御部１１aは、印刷したことがあると判定された端末装置２０が起動していると判定した場合（ステップＳ７：ＹＥＳ）、ステップＳ８の処理へ移行する。
一方、この判定の結果、プリンター１０では、デバイス制御部１１aは、印刷したことがあると判定された端末装置２０が起動していないと判定した場合（ステップＳ７：ＮＯ）、ステップＳ９の処理へ移行する。
【００７０】
ここで、印刷したことがあると判定された端末装置２０が複数存在する場合には、例えば、プリンター１０では、デバイス制御部１１aは、印刷したことがあると判定されたそれぞれの端末装置２０について起動しているか否かを判定し、１個以上の端末装置２０が起動している場合にはステップＳ８の処理へ移行し、一方、すべての端末装置２０が起動していない場合にはステップＳ９の処理へ移行する。
また、本実施形態では、端末装置２０が起動している状態とは、電源がオンの状態であって、無線通信停止モードではない状態を示し、通常動作モードである状態を示す。
【００７１】
（ステップＳ８）
プリンター１０では、デバイス制御部１１aは、印刷したことがあって起動していると判定された端末装置２０の無線通信部２３の機能がオンの状態であるか否かをＢＬＥによる無線通信で判定する。本実施形態では、無線通信部２３の機能は、Ｗｉ−Ｆｉ（登録商標）による無線通信の機能である。
この判定の結果、プリンター１０では、デバイス制御部１１aは、印刷したことがあって起動していると判定された端末装置２０の無線通信部２３の機能がオンの状態であると判定した場合（ステップＳ８：ＹＥＳ）、ステップＳ１０の処理へ移行する。
一方、この判定の結果、プリンター１０では、デバイス制御部１１aは、印刷したことがあって起動していると判定された端末装置２０の無線通信部２３の機能がオンの状態ではない（つまり、オフの状態である）と判定した場合（ステップＳ８：ＮＯ）、ステップＳ９の処理へ移行する。
【００７２】
（ステップＳ９）
プリンター１０では、デバイス制御部１１aは、無線通信停止モードになり、接続先ＡＰの探索を停止する。そして、ステップＳ１１の処理へ移行する。
ここで、無線通信停止モードは、無線通信部１３による無線通信が停止させられた状態である。本例では、無線通信停止モードは、少なくともインフラ接続に関する無線通信が停止させられた状態であり、具体的には、プリンター１０に設定された接続先ＡＰの情報に該当するアクセスポイント３０を検出するためにスキャンの処理を行う機能がオフにされた状態である。
なお、本例では、プリンター１０では、無線通信停止モードにおいても、ＢＬＥの機能はオンの状態に保持される。
【００７３】
ここで、本例では、無線通信部１３による無線通信が停止させられる無線通信停止モードが用いられたが、さらに、無線通信部１３による無線通信以外の所定の動作が停止させられてもよい。
一例として、無線通信停止モードの代わりに、スリープ状態となるモード（スリープモード）が用いられてもよい。スリープモードでは、無線通信部１３による無線通信が停止させられるとともに、他の所定の動作も停止させられる。例えば、スリープモードでは、端末装置２０における全般的な機能が停止させられるが、本例では、ＢＬＥの機能はオンの状態に保持される。
また、本例では、一例として、無線通信停止モードにおいて、無線通信部１３による無線通信の機能のすべてを停止させることが行われるが、他の例として、無線通信部１３による無線通信の機能の一部を停止させることが行われてもよい。
【００７４】
（ステップＳ１０）
プリンター１０では、デバイス制御部１１aは、通常の動作を行う。そして、ステップＳ１１の処理へ移行する。
【００７５】
（ステップＳ１１）
プリンター１０では、デバイス制御部１１aは、タッチパネルディスプレイ１４がユーザーにより操作されたか否かを判定する（ステップＳ１１）。
この判定の結果、プリンター１０では、デバイス制御部１１aは、タッチパネルディスプレイ１４がユーザーにより操作されたと判定した場合（ステップＳ１１：ＹＥＳ）、ステップＳ２の処理へ移行する。本例では、この場合に、プリンター１０では、デバイス制御部１１aは、無線通信停止モードであるときには、通常の動作を行うモード（通常動作モード）へ移行する。
一方、この判定の結果、プリンター１０では、デバイス制御部１１aは、タッチパネルディスプレイ１４がユーザーにより操作されていないと判定した場合（ステップＳ１１：ＮＯ）、ステップＳ１２の処理へ移行する。
【００７６】
（ステップＳ１２）
プリンター１０では、デバイス制御部１１aは、いわゆる電源コンセントが接続されて電源駆動になったか否かを判定する（ステップＳ１２）。
この判定の結果、プリンター１０では、デバイス制御部１１aは、いわゆる電源コンセントが接続されて電源駆動になったと判定した場合（ステップＳ１２：ＹＥＳ）、ステップＳ２の処理へ移行する。本例では、この場合に、プリンター１０では、デバイス制御部１１aは、無線通信停止モードであるときには、通常の動作を行うモード（通常動作モード）へ移行する。
一方、この判定の結果、プリンター１０では、デバイス制御部１１aは、いわゆる電源コンセントが接続されておらず電源駆動になっていないと判定した場合（ステップＳ１２：ＮＯ）、ステップＳ４の処理へ移行する。なお、本例では、この場合に、プリンター１０では、デバイス制御部１１aは、無線通信停止モードであるときには、通常の動作を行うモード（通常動作モード）へ移行する。
【００７７】
ここで、図４に示される処理フローの変形例として、ステップＳ４の処理は、図４に示される処理の順序ではなく、ステップＳ９の処理の直前に配置されてもよい。具体的には、図４の例において、（ステップＳ３：ＮＯ）の判定時にステップＳ５の処理へ移行し、（ステップＳ６：ＮＯ）と（ステップＳ７：ＮＯ）と（ステップＳ８：ＮＯ）の判定時にステップＳ４の処理へ移行し、（ステップＳ４：ＮＯ）の判定時にステップＳ９へ移行し、（ステップＳ４：ＹＥＳ）の判定時にステップＳ１０へ移行し、（ステップＳ１２：ＮＯ）の判定時にステップＳ５の処理へ移行する。
【００７８】
なお、図４の例では、プリンター１０のモードとして、通常動作モードと、無線通信停止モードを示したが、さらに、他のモードが用いられてもよい。
また、図４の例では、一連の処理フローが終了する処理については図示を省略してあるが、例えば、プリンター１０の電源がオフにされた場合などには、いったん、図４に示される処理フローが終了させられる。
【００７９】
＜Ｗｉ−Ｆｉ（登録商標）による直接通信接続に関する動作＞
図５は、本発明の実施形態に係る印刷システム１において行われる直接通信接続に関する処理の手順の一例を示す図である。
本例では、プリンター１０では、通常の動作を行うモード（通常動作モード）と、無線通信に関する所定の機能が停止させられるモード（無線通信停止モード）とが切り替え可能に設定される場合を示す。
【００８０】
（ステップＳ３１）
ユーザーは、端末装置２０に所定のアプリケーションをインストールする。当該アプリケーションは、端末制御部２１aの機能を実現するアプリケーションであり、例えば、専用のアプリケーションであってもよい。
また、ユーザーは、端末装置２０のタッチパネルディスプレイ２４を操作して、端末装置２０におけるＢＬＥの機能をオンの状態にする。なお、端末装置２０の初期状態において、端末装置２０におけるＢＬＥの機能がオンの状態である場合には、そのままの状態とする。
そして、ステップＳ３２の処理へ移行する。
なお、ステップＳ３１の処理の詳細は、例えば、図４の例におけるステップＳ１の処理と同様である。
【００８１】
（ステップＳ３２）
ユーザーは、プリンター１０のタッチパネルディスプレイ１４を操作して、プリンター１０の電源をオフの状態からオンの状態に切り替える。なお、既にプリンター１０の電源がオンの状態である場合には、そのままの状態とする。
また、ユーザーは、プリンター１０のタッチパネルディスプレイ１４を操作して、プリンター１０におけるＷｉ−Ｆｉ（登録商標）による直接通信接続の機能をオンの状態に起動する。なお、プリンター１０の初期状態において、プリンター１０における直接通信接続の機能がオンの状態である場合には、そのままの状態とする。
ここで、本例では、プリンター１０では、ＢＬＥの機能はオンの状態に保持され、また、Ｗｉ−Ｆｉ（登録商標）の機能はオンの状態に保持される。
そして、ステップＳ３３の処理へ移行する。
【００８２】
（ステップＳ３３）
プリンター１０では、電源がオンの状態で、デバイス制御部１１ａが、各種の制御を行うことで、通常の動作を行う。プリンター１０では、通常の動作において、デバイス制御部１１ａが、疑似的なアクセスポイントの動作を行い、端末装置２０が自装置（当該プリンター１０）に接続に来ることを待機する。
そして、ステップＳ３４の処理へ移行する。
【００８３】
ここで、本実施形態では、端末装置２０は、自動的に、自装置（当該端末装置２０）の周辺に存在するアクセスポイント３０あるいは疑似的なアクセスポイント（ここでは、プリンター１０）を探索して、探索されたアクセスポイント３０あるいは疑似的なアクセスポイントに対して接続の要求を行う。
【００８４】
（ステップＳ３４）
プリンター１０では、デバイス制御部１１aは、当該プリンター１０が電源駆動であるか否かを判定する。
この判定の結果、プリンター１０では、デバイス制御部１１aは、当該プリンター１０が電源駆動であると判定した場合（ステップＳ３４：ＹＥＳ）、ステップＳ４０の処理へ移行する。
一方、この判定の結果、プリンター１０では、デバイス制御部１１aは、当該プリンター１０が電源駆動ではないと判定した場合（ステップＳ３４：ＮＯ）、ステップＳ３５の処理へ移行する。
なお、ステップＳ３４の処理の詳細については、図４の例におけるステップＳ３の処理と同様である。
【００８５】
（ステップＳ３５）
プリンター１０では、デバイス制御部１１aは、端末装置２０がプリンター１０との接続に来たか否か、つまり、端末装置２０がプリンター１０との接続を要求したか否かを判定する。
この判定の結果、プリンター１０では、デバイス制御部１１aは、端末装置２０がプリンター１０との接続に来たと判定した場合（ステップＳ３５：ＹＥＳ）、ステップＳ４０の処理へ移行する。
一方、この判定の結果、プリンター１０では、デバイス制御部１１aは、端末装置２０がプリンター１０との接続に来なかったと判定した場合（ステップＳ３５：ＮＯ）、ステップＳ３６の処理へ移行する。
【００８６】
ここで、プリンター１０では、デバイス制御部１１aは、端末装置２０からプリンター１０に対して無線送信された直接通信接続の要求信号を無線通信部１３により受信したことを判定した場合に、当該端末装置２０がプリンター１０との接続に来たと判定する。
この場合に、端末装置２０は、プリンター１０に対して、直接通信接続の要求信号を無線送信する。
【００８７】
（ステップＳ３６）
プリンター１０では、デバイス制御部１１aは、プリンター１０の周辺に印刷したことがある端末装置２０が存在するか否かをＢＬＥによる無線通信で確認する。具体的には、プリンター１０では、デバイス制御部１１aは、ＢＬＥ通信部１２によりプリンター１０の周辺に存在する端末装置２０と無線通信を行い、当該端末装置２０がプリンター１０により印刷したことがあるか否かを確認する。
プリンター１０では、デバイス制御部１１aは、プリンター１０の周辺に印刷したことがある端末装置２０が存在するか否かを判定する。
この判定の結果、プリンター１０では、デバイス制御部１１aは、プリンター１０の周辺に印刷したことがある端末装置２０が存在すると判定した場合（ステップＳ３６：ＹＥＳ）、ステップＳ３７の処理へ移行する。
一方、この判定の結果、プリンター１０では、デバイス制御部１１aは、プリンター１０の周辺に印刷したことがある端末装置２０が存在しないと判定した場合（ステップＳ３６：ＮＯ）、ステップＳ３９の処理へ移行する。
なお、ステップＳ３６の処理の詳細は、図４の例におけるステップＳ５の処理およびステップＳ６の処理と同様である。
【００８８】
（ステップＳ３７）
プリンター１０では、デバイス制御部１１aは、印刷したことがあると判定された端末装置２０が起動しているか否かをＢＬＥによる無線通信で判定する。
この判定の結果、プリンター１０では、デバイス制御部１１aは、印刷したことがあると判定された端末装置２０が起動していると判定した場合（ステップＳ３７：ＹＥＳ）、ステップＳ３８の処理へ移行する。
一方、この判定の結果、プリンター１０では、デバイス制御部１１aは、印刷したことがあると判定された端末装置２０が起動していないと判定した場合（ステップＳ３７：ＮＯ）、ステップＳ３９の処理へ移行する。
なお、ステップＳ３７の処理の詳細は、図４の例におけるステップＳ７の処理と同様である。
【００８９】
（ステップＳ３８）
プリンター１０では、デバイス制御部１１aは、印刷したことがあって起動していると判定された端末装置２０の無線通信部２３の機能がオンの状態であるか否かをＢＬＥによる無線通信で判定する。本実施形態では、無線通信部２３の機能は、Ｗｉ−Ｆｉ（登録商標）による無線通信の機能である。
この判定の結果、プリンター１０では、デバイス制御部１１aは、印刷したことがあって起動していると判定された端末装置２０の無線通信部２３の機能がオンの状態であると判定した場合（ステップＳ３８：ＹＥＳ）、ステップＳ４０の処理へ移行する。
一方、この判定の結果、プリンター１０では、デバイス制御部１１aは、印刷したことがあって起動していると判定された端末装置２０の無線通信部２３の機能がオンの状態ではない（つまり、オフの状態である）と判定した場合（ステップＳ３８：ＮＯ）、ステップＳ３９の処理へ移行する。
なお、ステップＳ３８の処理は、図４の例におけるステップＳ８の処理と同様である。
【００９０】
（ステップＳ３９）
プリンター１０では、デバイス制御部１１aは、無線通信停止モードになり、直接通信接続のパケットの送信を停止する。そして、ステップＳ４１の処理へ移行する。
ここで、無線通信停止モードは、無線通信部１３による無線通信が停止させられた状態である。本例では、無線通信停止モードは、少なくとも直接通信接続に関する無線通信が停止させられた状態であり、具体的には、Ｗｉ−Ｆｉ（登録商標）による直接通信接続において、疑似的なアクセスポイントの機能として定期的にビーコンをブロードキャストにより無線送信する機能がオフにされた状態である。
なお、本例では、プリンター１０では、無線通信停止モードにおいても、ＢＬＥの機能はオンの状態に保持される。
【００９１】
ここで、本実施形態では、プリンター１０の疑似的なアクセスポイントは、無線通信停止モードになると、いわゆるステルス状態となる。具体的には、プリンター１０の疑似的なアクセスポイントは、プリンター１０の周辺に存在する端末装置２０からアクティブスキャンの処理を行わない限り見つけられない状態となる。
【００９２】
（ステップＳ４０）
プリンター１０では、デバイス制御部１１aは、通常の動作を行う。そして、ステップＳ４１の処理へ移行する。
【００９３】
（ステップＳ４１）
プリンター１０では、デバイス制御部１１aは、タッチパネルディスプレイ１４がユーザーにより操作されたか否かを判定する（ステップＳ４１）。
この判定の結果、プリンター１０では、デバイス制御部１１aは、タッチパネルディスプレイ１４がユーザーにより操作されたと判定した場合（ステップＳ４１：ＹＥＳ）、ステップＳ３３の処理へ移行する。本例では、この場合に、プリンター１０では、デバイス制御部１１aは、無線通信停止モードであるときには、通常の動作を行うモード（通常動作モード）へ移行する。
一方、この判定の結果、プリンター１０では、デバイス制御部１１aは、タッチパネルディスプレイ１４がユーザーにより操作されていないと判定した場合（ステップＳ４１：ＮＯ）、ステップＳ４２の処理へ移行する。
【００９４】
（ステップＳ４２）
プリンター１０では、デバイス制御部１１aは、いわゆる電源コンセントが接続されて電源駆動になったか否かを判定する（ステップＳ４２）。
この判定の結果、プリンター１０では、デバイス制御部１１aは、いわゆる電源コンセントが接続されて電源駆動になったと判定した場合（ステップＳ４２：ＹＥＳ）、ステップＳ３３の処理へ移行する。本例では、この場合に、プリンター１０では、デバイス制御部１１aは、無線通信停止モードであるときには、通常の動作を行うモード（通常動作モード）へ移行する。
一方、この判定の結果、プリンター１０では、デバイス制御部１１aは、いわゆる電源コンセントが接続されておらず電源駆動になっていないと判定した場合（ステップＳ４２：ＮＯ）、ステップＳ３５の処理へ移行する。なお、本例では、この場合に、プリンター１０では、デバイス制御部１１aは、無線通信停止モードであるときには、通常の動作を行うモード（通常動作モード）へ移行する。
【００９５】
ここで、図５に示される処理フローの変形例として、ステップＳ３５の処理は、図５に示される処理の順序ではなく、ステップＳ３９の処理の直前に配置されてもよい。具体的には、図５の例において、（ステップＳ３４：ＮＯ）の判定時にステップＳ３６の処理へ移行し、（ステップＳ３６：ＮＯ）と（ステップＳ３７：ＮＯ）と（ステップＳ３８：ＮＯ）の判定時にステップＳ３５の処理へ移行し、（ステップＳ３５：ＮＯ）の判定時にステップＳ３９へ移行し、（ステップＳ４０：ＹＥＳ）の判定時にステップＳ４０へ移行し、（ステップＳ４２：ＮＯ）の判定時にステップＳ３６の処理へ移行する。
【００９６】
なお、図５の例では、プリンター１０のモードとして、通常動作モードと、無線通信停止モードを示したが、さらに、他のモードが用いられてもよい。
また、図５の例では、一連の処理フローが終了する処理については図示を省略してあるが、例えば、プリンター１０の電源がオフにされた場合などには、いったん、図５に示される処理フローが終了させられる。
【００９７】
ここで、図４に示されるようなインフラ接続に関する処理と、図５に示されるような直接通信接続に関する処理とは、例えば、任意の一方の処理が行われてもよく、あるいは、これら両方の処理が同時並行に行われてもよい。
例えば、プリンター１０において、インフラ接続が行われて直接通信接続が行われていないときには、図４に示されるようなインフラ接続に関する処理が行われる。
また、例えば、プリンター１０において、直接通信接続が行われてインフラ接続が行われていないときには、図５に示されるような直接通信接続に関する処理が行われる。
また、例えば、プリンター１０において、インフラ接続と直接通信接続との両方が同時並行に行われる場合には、図４に示されるようなインフラ接続に関する処理と、図５に示されるような直接通信接続に関する処理とについて、任意の一方の処理が行われてもよく、あるいは、これら両方の処理が同時並行に行われてもよい。
【００９８】
［以上の実施形態のまとめ］
以上のように、本実施形態に係る印刷システム１では、例えば、プリンター１０は、バッテリーにより駆動しており、インフラ接続によりアクセスポイント３０と無線接続しておらず、自装置（当該プリンター１０）により過去に印刷を行った端末装置２０が周辺に存在しない場合、少なくとも一部の無線通信機能（本実施形態では、Ｗｉ−Ｆｉ（登録商標）を用いた無線通信に関する機能）をオフにした状態へ移行する。
【００９９】
また、本実施形態に係る印刷システム１では、例えば、プリンター１０は、バッテリーにより駆動しており、直接通信接続により端末装置２０から無線接続の要求を受けておらず、自装置（当該プリンター１０）により過去に印刷を行った端末装置２０が周辺に存在しない場合、少なくとも一部の無線通信機能（本実施形態では、Ｗｉ−Ｆｉ（登録商標）を用いた無線通信に関する機能）をオフにした状態へ移行する。
【０１００】
なお、他の例として、プリンター１０は、バッテリーにより駆動しており、インフラ接続によりアクセスポイント３０と無線接続していない場合、少なくとも一部の無線通信機能（本実施形態では、Ｗｉ−Ｆｉ（登録商標）を用いた無線通信に関する機能）をオフにした状態へ移行してもよい。
このような構成が採用される場合、例えば、図４に示される処理フローにおいて、ステップＳ５〜ステップＳ８の処理を除外して、そして、ステップＳ４の処理において、プリンター１０では、デバイス制御部１１aは、インフラ接続を行うことができなかったと判定した場合（ステップＳ４：ＮＯ）、ステップＳ９の処理へ移行するようにする。
【０１０１】
また、他の例として、プリンター１０は、バッテリーにより駆動しており、直接通信接続により端末装置２０から無線接続の要求を受けていない場合に、少なくとも一部の無線通信機能（本実施形態では、Ｗｉ−Ｆｉ（登録商標）を用いた無線通信に関する機能）をオフにした状態へ移行してもよい。
このような構成が採用される場合、例えば、図５に示される処理フローにおいて、ステップＳ３６〜ステップＳ３８の処理を除外して、そして、ステップＳ３５の処理において、プリンター１０では、デバイス制御部１１aは、端末装置２０がプリンター１０との接続に来なかったと判定した場合（ステップＳ３５：ＮＯ）、ステップＳ３９の処理へ移行するようにする。
【０１０２】
また、他の例として、プリンター１０は、バッテリーにより駆動しており、自装置（当該プリンター１０）により過去に印刷を行った端末装置２０が周辺に存在しない場合、少なくとも一部の無線通信機能（本実施形態では、Ｗｉ−Ｆｉ（登録商標）を用いた無線通信に関する機能）をオフにした状態へ移行してもよい。
このような構成が採用される場合、例えば、図４に示される処理フローにおいて、ステップＳ４の処理を除外して、そして、ステップＳ３の処理において、プリンター１０では、デバイス制御部１１aは、当該プリンター１０が電源駆動ではないと判定した場合（ステップＳ３：ＮＯ）、ステップＳ５の処理へ移行するようにし、また、ステップＳ１２の処理において、プリンター１０では、デバイス制御部１１aは、いわゆる電源コンセントが接続されておらず電源駆動になっていないと判定した場合（ステップＳ１２：ＮＯ）、ステップＳ５の処理へ移行するようにする。
あるいは、このような構成が採用される場合、例えば、図５に示される処理フローにおいて、ステップＳ３５の処理を除外して、そして、ステップＳ３４の処理において、プリンター１０では、デバイス制御部１１aは、当該プリンター１０が電源駆動ではないと判定した場合（ステップＳ３４：ＮＯ）、ステップＳ３６の処理へ移行するようにし、また、ステップＳ４２の処理において、プリンター１０では、デバイス制御部１１aは、いわゆる電源コンセントが接続されておらず電源駆動になっていないと判定した場合（ステップＳ４２：ＮＯ）、ステップＳ３６の処理へ移行するようにする。
【０１０３】
また、例えば、プリンター１０は、自装置（当該プリンター１０）により過去に印刷を行った端末装置２０が周辺に存在する場合であっても、当該端末装置２０が起動していないときには、少なくとも一部の無線通信機能（本実施形態では、Ｗｉ−Ｆｉ（登録商標）を用いた無線通信に関する機能）をオフにした状態へ移行してもよい。
また、例えば、プリンター１０は、自装置（当該プリンター１０）により過去に印刷を行った端末装置２０が周辺に存在して、当該端末装置２０が起動しているときであっても、当該端末装置２０の所定の無線通信機能（本実施形態では、Ｗｉ−Ｆｉ（登録商標）の機能）がオフであるときには、少なくとも一部の無線通信機能（本実施形態では、Ｗｉ−Ｆｉ（登録商標）を用いた無線通信に関する機能）をオフにした状態へ移行してもよい。
【０１０４】
以上の構成により、本実施形態に係る印刷システム１では、プリンター１０において、省電力化を図ることができる。
本実施形態に係る印刷システム１では、プリンター１０において、所定の条件が満たされた場合に、無駄な通信処理を停止する状態へ移行して、無駄に電力を消費することを抑制することができる。これにより、プリンター１０において、効率化を図ることができ、例えば、同じ消費電力である場合における稼働時間を伸ばすことができ、あるいは、同じ稼働時間における消費電力を低減することができる。
本実施形態では、プリンター１０において、無駄な通信処理について電波の送信電力を低下させる手法ではなく、無駄な通信処理を停止する状態へ移行する手法が用いられるため、より効率化が図られる。なお、プリンター１０において、これら両方の手法が用いられてもよい。
【０１０５】
例えば、プリンター１０において、バッテリーにより駆動する場合には、ユーザーは、バッテリーの残量に注意する必要がある。しかしながら、最近のプリンター１０では、無線機能が搭載されており、ユーザーから見て特に動作が行われていないようなときにも、無線機能により電力が消費される場合がある。そこで、本実施形態では、プリンター１０において、所定の条件が満たされた場合に、無駄な通信処理を停止する状態へ移行することで、無駄な電力消費を抑制することができる。
【０１０６】
ここで、本実施形態では、ＢＬＥの通信とＷｉ−Ｆｉ（登録商標）の通信が用いられる場合を示したが、他の無線通信方式が用いられてもよい。例えば、ＢＬＥの通信の代わりに、情報処理装置（実施形態では、プリンター１０）と端末装置（実施形態では、端末装置２０）とが無線通信を直接行うことが可能な他の無線通信方式が用いられてもよい。また、例えば、Ｗｉ−Ｆｉ（登録商標）のインフラ接続の通信の代わりに、情報処理装置（実施形態では、プリンター１０）と端末装置（実施形態では、端末装置２０）とが無線通信を間接的に行うことが可能な他の無線通信方式が用いられてもよい。また、例えば、Ｗｉ−Ｆｉ（登録商標）の直接通信接続の通信の代わりに、情報処理装置（実施形態では、プリンター１０）と端末装置（実施形態では、端末装置２０）とが無線通信を直接行うことが可能な他の無線通信方式が用いられてもよい。
また、情報処理装置は、例えば、電子機器など、他の名称で呼ばれてもよい。
また、本実施形態では、情報処理装置としてプリンター１０が用いられる場合を示したが、本実施形態と同様な技術が他の様々な装置に適用されてもよい。
【０１０７】
＜構成例１＞
一構成例として、第１無線通信方式（本実施形態では、ＢＬＥを用いた無線通信方式）により端末装置（本実施形態では、端末装置２０）と第１無線通信（本実施形態では、第１無線通信１１０）を確立する第１無線通信部（本実施形態では、ＢＬＥ通信部１２）と、端末装置と第２無線通信方式（本実施形態では、Ｗｉ−Ｆｉ（登録商標）を用いた無線通信方式）により第２無線通信（本実施形態では、第２無線通信１２０）を確立する無線通信ネットワークのアクセスポイント（本実施形態では、アクセスポイント３０）と第２無線通信方式により第３無線通信（本実施形態では、第３無線通信１３０）を確立する第２無線通信部（本実施形態では、無線通信部１３）と、バッテリーから駆動電力が供給されているか否かを判定し、第２無線通信方式によりアクセスポイントと第３無線通信を確立しているか否かを判定し、バッテリーから駆動電力が供給されておりかつ第２無線通信方式によりアクセスポイントと第３無線通信を確立していないという条件が満たされると判定した場合に、第２無線通信方式における所定の無線接続処理（本実施形態では、アクセスポイント３０をスキャンの処理により探索する処理）を実行する実行モード（本実施形態では、通常動作モード）から当該所定の無線接続処理を実行しない非実行モード（本実施形態では、無線通信停止モード）へ移行する制御部（本実施形態では、デバイス制御部１１ａ）と、を備える情報処理装置（本実施形態では、プリンター１０）である。
【０１０８】
＜構成例２＞
一構成例として、第１無線通信方式（本実施形態では、ＢＬＥを用いた無線通信方式）により端末装置（本実施形態では、端末装置２０）と第１無線通信（本実施形態では、第１無線通信１１０）を確立する第１無線通信部（本実施形態では、ＢＬＥ通信部１２）と、第２無線通信方式（本実施形態では、Ｗｉ−Ｆｉ（登録商標）を用いた無線通信方式）により端末装置と第４無線通信（本実施形態では、第４無線通信１４０）を確立する第２無線通信部（本実施形態では、無線通信部１３）と、バッテリーから駆動電力が供給されているか否かを判定し、端末装置から第４無線通信の接続要求を受けているか否かを判定し、バッテリーから駆動電力が供給されておりかつ端末装置から第４無線通信の接続要求を受けていないという条件が満たされると判定した場合に、第２無線通信方式における所定の無線接続処理（本実施形態では、疑似的なアクセスポイントの機能によりビーコンを無線送信する処理）を実行する実行モード（本実施形態では、通常動作モード）から当該所定の無線接続処理を実行しない非実行モード（本実施形態では、無線通信停止モード）へ移行する制御部（本実施形態では、デバイス制御部１１ａ）と、を備える情報処理装置（本実施形態では、プリンター１０）である。
【０１０９】
＜構成例３＞
＜構成例１＞または＜構成例２＞に係る情報処理装置において、過去に第２無線通信方式により無線接続された端末装置の識別情報（本実施形態では、ＭＡＣアドレスの情報）を記憶する記憶部（本実施形態では、プリンター１０のメモリー）を備え、制御部は、記憶部が記憶する端末装置の識別情報に基づいて、過去に第２無線通信方式により無線接続された端末装置が情報処理装置の周辺に存在するか否かを判定し、上記した条件が満たされるとともに過去に第２無線通信方式により無線接続された端末装置が情報処理装置の周辺に存在しないという条件が満たされたと判定した場合に、非実行モードへ移行する。
【０１１０】
＜構成例４＞
一構成例として、第１無線通信方式（本実施形態では、ＢＬＥを用いた無線通信方式）により端末装置（本実施形態では、端末装置２０）と第１無線通信（本実施形態では、第１無線通信１１０）を確立する第１無線通信部（本実施形態では、ＢＬＥ通信部１２）と、端末装置と第２無線通信方式（本実施形態では、Ｗｉ−Ｆｉ（登録商標）を用いた無線通信方式）により第２無線通信（本実施形態では、第２無線通信１２０）を確立する無線通信ネットワークのアクセスポイント（本実施形態では、アクセスポイント３０）と第２無線通信方式により第３無線通信（本実施形態では、第３無線通信１３０）を確立することと、第２無線通信方式により端末装置と第４無線通信（本実施形態では、第４無線通信１４０）を確立することとの少なくとも一方を行う第２無線通信部（本実施形態では、無線通信部１３）と、過去に第２無線通信方式により無線接続された端末装置の識別情報を記憶する記憶部と、バッテリーから駆動電力が供給されているか否かを判定し、記憶部が記憶する端末装置の識別情報に基づいて過去に第２無線通信方式により無線接続された端末装置が情報処理装置の周辺に存在するか否かを判定し、バッテリーから駆動電力が供給されておりかつ過去に第２無線通信方式により無線接続された端末装置が情報処理装置の周辺に存在しないという条件が満たされると判定した場合に、第２無線通信方式における所定の無線接続処理（本実施形態では、アクセスポイント３０をスキャンの処理により探索する処理と、疑似的なアクセスポイントの機能によりビーコンを無線送信する処理との少なくとも一方）を実行する実行モード（本実施形態では、通常動作モード）から前記所定の無線接続処理を実行しない非実行モード（本実施形態では、無線通信停止モード）へ移行する制御部（本実施形態では、デバイス制御部１１ａ）と、を備える情報処理装置（本実施形態では、プリンター１０）である。
【０１１１】
＜構成例５＞
＜構成例３＞または＜構成例４＞に係る情報処理装置において、制御部は、過去に第２無線通信方式により無線接続された端末装置が情報処理装置の周辺に存在するという条件が満たされると判定した場合に、当該端末装置が起動しているか否かを判定し、当該端末装置が起動していないという条件が満たされると判定した場合に、非実行モードへ移行する。
【０１１２】
＜構成例６＞
＜構成例５＞に係る情報処理装置において、制御部は、端末装置が起動していないという条件が満たされると判定した場合に、当該端末装置における第２無線通信方式の所定の無線通信機能（本実施形態では、Ｗｉ−Ｆｉ（登録商標）の無線通信機能）がオンであるオフであるか否かを判定し、当該端末装置における第２無線通信方式の所定の無線通信機能がオフであるという条件が満たされると判定した場合に、非実行モードへ移行する。
【０１１３】
なお、以上に説明したプリンター１０、端末装置２０あるいはアクセスポイント３０などの任意の装置における任意の構成部の機能を実現するためのプログラムを、コンピューター読み取り可能な記録媒体（記憶媒体）に記録（記憶）し、そのプログラムをコンピューターシステムに読み込ませて実行するようにしてもよい。なお、ここでいう「コンピューターシステム」とは、オペレーティングシステム（ＯＳ：Ｏｐｅｒａｔｉｎｇ  Ｓｙｓｔｅｍ）あるいは周辺機器等のハードウェアを含むものとする。また、「コンピューター読み取り可能な記録媒体」とは、フレキシブルディスク、光磁気ディスク、ＲＯＭ、ＣＤ（Ｃｏｍｐａｃｔ  Ｄｉｓｃ）−ＲＯＭ等の可搬媒体、コンピューターシステムに内蔵されるハードディスク等の記憶装置のことをいう。さらに「コンピューター読み取り可能な記録媒体」とは、インターネット等のネットワークあるいは電話回線等の通信回線を介してプログラムが送信された場合のサーバーやクライアントとなるコンピューターシステム内部の揮発性メモリー（ＲＡＭ）のように、一定時間プログラムを保持しているものも含むものとする。
【０１１４】
また、上記のプログラムは、このプログラムを記憶装置等に格納したコンピューターシステムから、伝送媒体を介して、あるいは、伝送媒体中の伝送波により他のコンピューターシステムに伝送されてもよい。ここで、プログラムを伝送する「伝送媒体」は、インターネット等のネットワーク（通信網）あるいは電話回線等の通信回線（通信線）のように情報を伝送する機能を有する媒体のことをいう。
また、上記のプログラムは、前述した機能の一部を実現するためのものであってもよい。さらに、上記のプログラムは、前述した機能をコンピューターシステムにすでに記録されているプログラムとの組み合わせで実現できるもの、いわゆる差分ファイル（差分プログラム）であってもよい。
【０１１５】
また、以上に説明したプリンター１０、端末装置２０あるいはアクセスポイント３０などの任意の装置における任意の構成部の機能は、プロセッサー（ハードウェアを含むプロセッサー）により実現されてもよい。例えば、本実施形態における各処理は、プログラム等の情報に基づき動作するプロセッサーと、プログラム等の情報を記憶するコンピューター読み取り可能な記録媒体により実現されてもよい。ここで、プロセッサーは、例えば、各部の機能が個別のハードウェアで実現されてもよく、あるいは、各部の機能が一体のハードウェアで実現されてもよい。例えば、プロセッサーはハードウェアを含み、当該ハードウェアは、デジタル信号を処理する回路およびアナログ信号を処理する回路のうちの少なくとも一方を含んでもよい。例えば、プロセッサーは、回路基板に実装された１または複数の回路装置、あるいは、１または複数の回路素子のうちの一方または両方を用いて、構成されてもよい。回路装置としてはＩＣ（Ｉｎｔｅｇｒａｔｅｄ  Ｃｉｒｃｕｉｔ）などが用いられてもよく、回路素子としては抵抗あるいはキャパシターなどが用いられてもよい。
【０１１６】
ここで、プロセッサーは、例えば、ＣＰＵであってもよい。ただし、プロセッサーは、ＣＰＵに限定されるものではなく、例えば、ＧＰＵ（Ｇｒａｐｈｉｃｓ  Ｐｒｏｃｅｓｓｉｎｇ  Ｕｎｉｔ）、あるいは、ＤＳＰ（Ｄｉｇｉｔａｌ  Ｓｉｇｎａｌ  Ｐｒｏｃｅｓｓｏｒ）等のような、各種のプロセッサーが用いられてもよい。また、プロセッサーは、例えば、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）によるハードウェア回路であってもよい。また、プロセッサーは、例えば、複数のＣＰＵにより構成されていてもよく、あるいは、複数のＡＳＩＣによるハードウェア回路により構成されていてもよい。また、プロセッサーは、例えば、複数のＣＰＵと、複数のＡＳＩＣによるハードウェア回路と、の組み合わせにより構成されていてもよい。また、プロセッサーは、例えば、アナログ信号を処理するアンプ回路あるいはフィルター回路等のうちの１以上を含んでもよい。
【０１１７】
以上、この発明の実施形態について図面を参照して詳述してきたが、具体的な構成はこの実施形態に限られるものではなく、この発明の要旨を逸脱しない範囲の設計等も含まれる。
【符号の説明】
【０１１８】
１…印刷システム、１０…プリンター、１１…処理部、１１ａ…デバイス制御部、１１ｂ…ＳＳＩＤリスト、１２、２２…ＢＬＥ通信部、１３、２３…無線通信部、１４、２４…タッチパネルディスプレイ、１５…印刷部、２０…端末装置、２１…処理部、２１ａ…端末制御部、３０…アクセスポイント、１１０…第１無線通信、１２０…第２無線通信、１３０…第３無線通信、１４０…第４無線通信、２００…ビーコン
【図１】
2019216369.tif 000003
【図２】
2019216369.tif 000004
【図３】
2019216369.tif 000005
【図４】
2019216369.tif 000006
【図５】
2019216369.tif 000007